(57)【要約】
　【課題】食品の賞味期限の管理を容易にする。
　【解決手段】食品名を表示する食品名表示部と、前記食品名表示部に表示された食品の賞味期限に関する情報を表示する賞味期限情報表示部と、前記賞味期限情報表示部及び前記食品名表示部を視認可能な状態で取付対象物に対して着脱可能に取り付ける取り付け部と、前記取り付け部を取付対象物から取り外す際に利用される取り外し部とを設けた賞味期限管理シールとした。
　【選択図】図２
0003100154.tif 000002
【実用新案登録請求の範囲】
【請求項１】
　　食品名を表示する食品名表示部と、
　　前記食品名表示部に表示された食品の賞味期限に関する情報を表示する賞味期限情報表示部と、
　　前記賞味期限情報表示部及び前記食品名表示部を視認可能な状態で取付対象物に対して着脱可能に取り付ける取り付け部と、
　　前記取り付け部を取付対象物から取り外す際に利用される取り外し部とを設けたことを特徴とする賞味期限管理シール。
【請求項２】
　前記賞味期限情報表示部に、前記食品に関する賞味期限の日付情報を表示することを特徴とする請求項１記載の賞味期限管理シール。
【請求項３】
　前記賞味期限情報表示部に、前記食品に関する購入日の日付情報を表示することを特徴とする請求項１または２記載の賞味期限管理シール。
【請求項４】
　前記取り付け部が、取り付け面に設けた粘着層であることを特徴とする請求項１乃至３記載の賞味期限管理シール。
【請求項５】
　前記取り付け面に粘着防止部を設けていることを特徴とする請求項４記載の賞味期限管理シール。
【請求項６】
　前記粘着防止部を、前記取り付け面の端部に設けていることを特徴とする請求項５記載の賞味期限管理シール。
【請求項７】
　前記取付対象物が、前記食品を収納する冷蔵庫であることを特徴とする請求項１乃至６記載の賞味期限管理シール。
【請求項８】
　前記取付対象物が、カレンダーであることを特徴とする請求項１乃至７記載の賞味期限管理シール。
【請求項９】
　前記食品の収納場所に関する情報を表示する収納場所表示部を具備することを特徴とする請求項１乃至８記載の賞味期限管理シール。
【考案の詳細な説明】
【技術分野】
【０００１】
　本考案は、食品の賞味期限を管理する際に使用されるものである。
【背景技術】
【０００２】
　従来、例えば牛肉などの食品を購入すると、その食品のパッケージに賞味期限を記すシールなどが貼られている。そして購入者は、その食品を冷蔵庫などに入れて保存し、その食品の賞味期限を把握するためには、冷蔵庫を開けてみて食品のパッケージなどに貼られているシールを参照していた。（例えば、特許文献１を参照）。
【特許文献１】特開平８−２２４９１４号公報(第３頁、段落番号０００３等)
【考案の開示】
【考案が解決しようとする課題】
【０００３】
　しかし、上記の方法では、賞味期限を参照するためには逐次冷蔵庫を開けなければならず手間がかかる。更に、食品を様々な場所に収納しておいたり、冷蔵庫など扉を開けないと一見して収納物を確認することができないものに収納しておいたりすると、つい賞味期限が過ぎるまで忘れてしまうことが多かった。
【０００４】
　　また、食品の一部を使用した後に賞味期限の付いたパッケージを剥がして保存しておくと、賞味期限が分からなくなってしまうという不具合があった。
【０００５】
　一方、パッケージに貼着されているシールを残しておこうとしても、当該シールは、販売時に購入者に賞味期限を知らせることを目的としているため、そのシールを剥がして保存しておくようなことは想定されていない。従って、パッケージに対する取り付け面の全体に貼着するための粘着層が設けられており、剥がし難く、また一旦剥がすと再度取り付けることができないようなものであった。
【課題を解決するための手段】
【０００６】
　そこで、本願発明に係る賞味期限管理シールは、食品名を表示する食品名表示部と、前記食品名表示部に表示された食品の賞味期限に関する情報を表示する賞味期限情報表示部と、前記賞味期限情報表示部及び前記食品名表示部を視認可能な状態で取付対象物に対して着脱可能に取り付ける取り付け部と、前記取り付け部を取付対象物から取り外す際に利用される取り外し部とを設けたことを特徴とするものである。
【０００７】
　尚、前記食品名表示部及び前記賞味期限情報表示部に記載される各種情報は、例えば予め使用する前に各種情報を印刷して記載しておいても良いし、食品の購入者が後に書き込む形式としても良い。
【０００８】
　このような賞味期限管理シールであれば、例えば、当該賞味期限管理シールを冷蔵庫の扉などに貼っておくことで、冷蔵庫の様に中の収納物が一見して把握できないような所に収納した食品の賞味期限も瞬時に把握することが可能となり、賞味期限切れになって食品を無駄にしてしまうようなことを防止できる。
【０００９】
　　加えて、前記取り付け部は着脱可能に構成されており、更に、取り外し部を介して冷蔵庫などの取付対象物から取り外せるように構成されているため、当該賞味期限管理シールを簡単に着脱することが可能となる。
【００１０】
　更に、具体的な態様としては、前記賞味期限情報表示部に前記食品に関する賞味期限の日付情報や前記食品に関する購入日の日付情報を表示することが考えられる。
【００１１】
　また、簡易に前記取り付け部を構成するためには、取り付け面に粘着層を設けると良い。
【００１２】
　加えて、前記取り付け面に粘着防止部を設けることにより、例えば取り付け面の全面に粘着層を設けている場合に比して当該賞味期限管理シールを剥がし易くできる。
【００１３】
　更に、前記粘着防止部を前記取り付け面の端部に設けることで、例えば当該粘着防止部を指で持ち、賞味期限管理シールの端部から簡単に剥がすことが可能となる。
【００１４】
　また、具体的な態様としては、冷蔵庫に取り付けて使用する賞味期限管理シールとすることにより、扉などで収納物が一見して分からないような場合であっても容易に収納物を把握できる。
【００１５】
　加えて、カレンダーを取付対象物とすることで、カレンダーの時間軸をもとに使用計画を立てることができ、何をいつまでに使い切らなければ成らないかすぐに判断することができる。
【００１６】
　　更に、前記食品の収納場所に関する情報を表示する収納場所表示部を具備することで、様々な場所に収納しておいた食品に対応する賞味期限管理シールを一箇所にまとめておいたとしても、どこに何が収納されているのか分かり食品を使用したいときに探し易くなる。
【００１７】
　尚、収納場所表示部に記載される各種情報は、例えば予め使用する前に各種情報を印刷して記載しておいても良いし、食品の購入者が、後に書き込む形式としても良い。
【考案の効果】
【００１８】
　本願発明に係る賞味期限管理シールは、食品名を表示する食品名表示部と、前記食品名表示部に表示された食品の賞味期限に関する情報を表示する賞味期限情報表示部と、前記賞味期限情報表示部及び前記食品名表示部を視認可能な状態で取付対象物に対して着脱可能に取り付ける取り付け部と、前記取り付け部を取付対象物から取り外す際に利用される取り外し部とを設けたことを特徴とするものである。
【００１９】
　このような賞味期限管理シールであれば、例えば、当該賞味期限管理シールを冷蔵庫の扉などに貼っておくことで、冷蔵庫の様に中の収納物が一見して把握できないような所に収納した食品の賞味期限も瞬時に把握することが可能となり、賞味期限切れになって食品を無駄にしてしまうようなことを防止できる。
【００２０】
　　加えて、前記取り付け部は着脱可能に構成されており、更に、取り外し部を介して冷蔵庫などの取付対象物から取り外せるように構成されているため、当該賞味期限管理シールを簡単に着脱することが可能となる。
【考案を実施するための最良の形態】
【００２１】
　以下、本考案の一実施の形態を、図面を参照して説明する。
【００２２】
　図１は、賞味期限管理シールSを冷蔵庫Rに取り付けた状態を示す斜視図であり、図２は、当該賞味期限管理シールSの正面図である。
【００２３】
　本実施の形態における賞味期限管理シールSは、冷蔵庫R等に保管する食品の賞味期限を管理するために利用されるものであり、可撓性を有する矩形のシート状を成している。この賞味期限管理シールSは、シール基材S1の裏面Sbに粘着層S2を設け、その粘着層S2の反シール基材S1側の面に剥離処理を施した図示しないセパレータで粘着層S2を剥離可能に覆う構成としたものであり、使用する際には前記セパレータを剥がして使用される。
【００２４】
　　具体的には、前記賞味期限管理シールSは、食品名を表示する食品名表示部１と、前記食品名表示部１に表示された食品の賞味期限に関する情報を表示する賞味期限情報表示部２と、前記食品名表示部１及び前記賞味期限情報表示部２を視認可能な状態で冷蔵庫Rなどの取付対象物に対して着脱可能に取り付ける取り付け部３と、前記取り付け部３を取付対象物から取り外す際に利用される取り外し部４と、前記食品の収納場所に関する情報を表示する収納場所表示部５とを具備している。
【００２５】
　　以下、各構成について詳述する。
【００２６】
　　食品名表示部１は、前記シール基材S1の表面Saに設けられており、管理対象と成る食品の識別情報である食品名が表示されている。
【００２７】
　　具体的には、本実施の形態においては、図２、図３に示す様に、「牛肉」や「冷凍イカ」などの食品名がシール基材S1の上部に記載されている。
【００２８】
　賞味期限情報表示部２は、前記食品名表示部１と同様のシール基材S1の表面Saに設けられており、前記「牛肉」や「冷凍イカ」などの食品の賞味期限を管理するために参照される情報が表示されている。具体的には、図２に示す様に、直接賞味期限を表す賞味期限の日付情報や、図３に示す様に、間接的にその食品の賞味期限を表す情報、つまり、「買った日」などのその食品を購入した購入日の日付情報などが、賞味期限情報として当該賞味期限情報表示部２に表示されている。本実施の形態においては、賞味期限の日付情報としては、「２００３．７．１３」の様に年月日を表示し、購入日の日付情報としては「７．２１」の様に月日のみ表示している。
【００２９】
　取り付け部３は、前記シール基材S1の裏面Sbに設けた粘着層S2にて構成されている。詳述すると、当該粘着層S2は、再剥離、再貼付可能な粘着層であり、前記シール基材S1の裏面Sbに部分塗布されている。具体的には、賞味期限管理シールSの上方から一定の割合、例えば上端S１１から１／３程度の幅を有し、左右端まで連続して設けられた帯状の粘着層S2であり、当該粘着層S2を介して冷蔵庫RやカレンダーCなどの取付対象物に賞味期限管理シールSを着脱可能に貼着するものである。
【００３０】
　取り外し部４は、賞味期限管理シールSの下方端部に設けられている。具体的には、図４に示すように、下方端部の裏面Sb、つまり取り付け面側に前記粘着層S2を塗布しない粘着防止部S3を設け、当該粘着防止部S3の端片を指で摘んで当該賞味期限管理シールSの取り外しができるようにしている。
【００３１】
　　収納場所表示部５は、前記シール基材S1の表面Saに設けられており、前記食品の収納場所に関する情報が表示されている。本実施の形態においては、図２等に示すように、「冷蔵庫管理シール」と表示されていることにより管理対象の食品が冷蔵庫内に収納されていることが把握できる。
【００３２】
　次に、当該賞味期限管理シールSの使用方法について説明する。
【００３３】
　まず、食品の購入者は、図５に示すように、食品に貼られていた又は別途添付されていた賞味期限管理シールSを食品の収納庫となる冷蔵庫RやカレンダーCに貼り付ける。
【００３４】
　冷蔵庫Rに賞味期限管理シールSを貼り付けて管理する場合には、例えば、図６に示すような、「未使用」B１、「使用済」B2の欄を設けたボードBを扉に取り付けて、このボードBを介して賞味期限管理シールSを貼り付ける。そして、未だ使用していないものは「未使用」B１の欄に、既に使用してしまったら「使用済」B2の欄に賞味期限管理シールSを貼り付ける。
【００３５】
　そして、買い物に行く際に、「使用済」B2に貼り付けた賞味期限管理シールSを、図８に示すように手帳Nに貼り付け、メモ代わりとして利用することも考えられる。
【００３６】
　また、カレンダーCに貼り付ける際には、図７に示すように、賞味期限の日付を記載した賞味期限管理シールSは、その賞味期限の日付の欄に貼り付け、購入日を記載した賞味期限管理シールSは、その購入日から考えて賞味期限と日付となる欄に貼り付ける。
【００３７】
　次に、賞味期限管理シールSを取り外す際には、前記取り外し部４つまり、賞味期限管理シールSの下方端部の粘着防止部S３の端片を指で摘んで当該賞味期限管理シールSを剥がして取り外す。
【００３８】
　　以上の構成を採用する賞味期限管理シールSであれば、例えば、当該賞味期限管理シールSを冷蔵庫Rの扉などに貼っておくことで、冷蔵庫Rの様に中の収納物が一見して把握できないような所に収納した食品の賞味期限も瞬時に把握することが可能となり、賞味期限切れになって食品を無駄にしてしまうようなことを防止できる。
【００３９】
　　加えて、前記取り付け部３は着脱可能に構成されており、更に、取り外し部４を介して冷蔵庫Rなどの取付対象物から取り外せるように構成されてことため、当該賞味期限管理シールSを簡単に着脱することが可能となる。
【００４０】
　また、取り付け面に粘着層S2を設けていることで、前記取り付け部３を簡単に構成できる。
【００４１】
　加えて、前記取り付け面である裏面Sbに粘着防止部S3を設けることにより、例えば取り付け面の全面に粘着層S2を設けている場合に比して当該賞味期限管理シールSを剥がし易くできる。
【００４２】
　更に、前記粘着防止部S3を前記取り付け面の端部に設けることで、例えば当該粘着防止部S3を指で持ち、賞味期限管理シールSの端部から簡単に剥がすことが可能となる。
【００４３】
　また、冷蔵庫Rに取り付けて使用する賞味期限管理シールSとすることにより、扉などで収納物が一見して分からないような場合であっても容易に収納物を把握できる。
【００４４】
　加えて、カレンダーCを取付対象物とすることで、カレンダーCの時間軸をもとに使用計画を立てることができ、何をいつまでに使い切らなければ成らないかすぐに判断することができる。
【００４５】
　　更に、前記食品の収納場所に関する情報を表示する収納場所表示部５を具備することで、様々な場所に収納しておいた食品に対応する賞味期限管理シールSを一箇所にまとめておいたとしても、どこに何が収納されているのか分かり食品を使用したいときに探し易くなる。
【００４６】
　なお、本考案における構成は、以上説明したものに限定されないのは勿論である。例えば、本実施の形態においては、日付情報を年表示、月表示、日表示で表しているが、その他時刻表示等をすることも考えられる。更に、前記食品名表示部１及び前記賞味期限情報表示部２、前記収納場所表示部５に記載される各種情報は、例えば予め使用する前に各種情報を印刷して記載しておいても良いし、食品を購入した使用者が、後に書き込む形式としても良い。また、粘着層S２の幅も、本実施の形態のように１／３に拘らず１／２や、１／４としても良い。その他の構成も本考案の趣旨を逸脱しない範囲で種々変形が可能である。
【図面の簡単な説明】
【００４７】
【図１】本考案の一実施形態に係る賞味期限管理シールを冷蔵庫に取り付けた状態を示す斜視図。
【図２】同実施形態に係る賞味期限管理シールの正面図。
【図３】同実施形態に係る賞味期限管理シールの正面図。
【図４】同実施形態に係る賞味期限管理シールの背面図。
【図５】同実施形態に係る賞味期限管理シールをパッケージに取り付けた状態を示す斜視図。
【図６】同実施形態に係る賞味期限管理シールをボードに取り付けた状態を示す正面図。
【図７】同実施形態に係る賞味期限管理シールをカレンダーに取り付けた状態を示す正面図。
【図８】同実施形態に係る賞味期限管理シールを買い物用ノートに取り付けた状態を示す斜視図。
【符号の説明】
【００４８】
　　Ｓ・・・賞味期限管理シール
　　Ｓ２・・・粘着層
　　Ｓ３・・・粘着防止部
　　Ｓｂ・・・取り付け面（裏面）
　　１・・・食品名表示部
　　２・・・賞味期限情報表示部
　　３・・・取り付け部
　　４・・・取り外し部
　　５・・・収納場所表示部
　　Ｒ・・・取付対象物（冷蔵庫）
　　Ｃ・・・被取付対象物（カレンダー）
【図１】
0003100154.tif 000003
【図２】
0003100154.tif 000004
【図３】
0003100154.tif 000005
【図４】
0003100154.tif 000006
【図５】
0003100154.tif 000007
【図６】
0003100154.tif 000008
【図７】
0003100154.tif 000009
【図８】
0003100154.tif 000010